(57)【要約】【課題】  交互に逆方向に折り返して伸縮可能としたネットを横引きで開閉する網戸において、ネットをガイドするネットガイドにネットの張紐を保持させるネット支持部片が、その姿勢を安定的に保持できるようにする。【解決手段】  交互に逆方向に折り返して伸縮可能としたネット１０を横引きにより開閉する網戸において、該ネットの下端をガイドするネットガイド１２に、ネットに挿通した張紐を保持するネット支持部片２０を、ネットの開閉方向に移動自在に係合させる。このネット支持部片２０は、上記ネットの折り目に沿うヒンジ部２１で回動自在に連結されて、ネットの折り目１０ａの両側平面部に沿うように配置される二枚の張紐係止片２２を備え、該張紐係止片に上記張紐を挿通する通孔２２ａを開設するとともに、上記ネットガイドに移動自在に係合する係合支持脚２３を備える。【選択図】        図２
2005264524.tif 000002
【特許請求の範囲】
【請求項１】
平行な折り目により交互に逆方向に折り返して、該折り目での折畳みにより伸縮可能としたネットを横引きにより開閉自在とし、該ネットの開閉に際して該ネットの上下端またはその一方端をガイドするネットガイドに、該ネットのガイド端部に伸縮方向に挿通した張紐を保持するネット支持部片を、該ネットの開閉方向に移動自在に係合させた横引き網戸おいて、
上記ネット支持部片が、上記ネットの折り目に沿って鉛直配置されるヒンジ部で回動自在に連結されて、該ネットの伸縮に伴い上記折り目の両側平面部に沿うように開閉する二枚の張紐係止片を備え、
該ネット支持部片におけるそれぞれの該張紐係止片に、上記張紐を挿通する通孔を開設するとともに、該ネット支持部片にそれを上記ネットガイドに移動自在に係合する係合支持脚を設け、該ネット支持部片の姿勢を、それぞれの張紐係止片における通孔に挿通した張紐及び係合支持脚に係合させたガイドネットの少なくとも３点で拘束させた、
ことを特徴とする横引き網戸。
【請求項２】
上記二枚の張紐係止片における張紐を挿通する通孔は、それぞれ張紐係止片の外縁に達するスリットを有し、該スリットを通して上記張紐を上記通孔に係止させている、
ことを特徴とする請求項１に記載の横引き網戸。
【請求項３】
上記ネット支持部片のヒンジ部は、合成樹脂からなる二枚の張紐係止片における連結部が、ネットガイドに移動自在に係合する係合支持脚に対して該合成樹脂の薄肉部により回動自在に一体化することにより構成されている、
ことを特徴とする請求項１または２に記載の横引き網戸。
【請求項４】
上記ネット支持部片のヒンジ部は、二枚の張紐係止片における連結部にそれぞれ回転軸部を設け、ネットガイドに移動自在に係合する係合支持脚に、上記回転軸部を回転自在に支持する軸支部を設け、該軸支部に回転軸部を回転自在に支持させた、
ことを特徴とする請求項１または２に記載の横引き網戸。
【請求項５】
上記ネット支持部片のヒンジ部は、合成樹脂からなる二枚の張紐係止片における連結部を、該合成樹脂の薄肉部により回動自在に一体化することにより構成され、ネットガイドに移動自在に係合する係合支持脚が各張紐係止片におけるヒンジ部とは反対側の対向辺側に設けられている、
ことを特徴とする請求項１または２に記載の横引き網戸。
【請求項６】
ネットガイドは、ネットの開閉に応じて該ネットの開閉方向両端に取付けられた枠材の少なくとも一方からその内部に屈曲して出入りし、張設状態にある上記ネットの端部に沿って導出されてその端部をガイドする構成を備え、
該ネットガイドは、上記ネットの端部に沿う底部と該ネットの両外側面に沿う立壁部とにより略Ｕ字状に形成したガイド駒を多数連設することにより構成され、該ネットガイドを構成するガイド駒の各立壁部に、ネット支持部片の係合支持脚を係合させて移動可能にする一連のレール部を設けた、
ことを特徴とする請求項１ないし５のいずれかに記載の横引き網戸。
【請求項７】
上記ネットガイドにおけるレール部が、該ネットガイドにおける少なくとも一方の立壁部の外面及び内面のそれぞれに、隣接ガイド駒間において相互に連接される一連の凹溝により形成され、上記ネット支持部片のネットガイドに対する係合を、張紐係止片と係合支持脚に設けた係合鈎を上記両凹溝にそれぞれ係合させることによって行う、
ことを特徴とする請求項６に記載の横引き網戸。
【請求項８】
上記張紐が、上記ネットの開閉操作に供する可動の枠材を平行移動させるための平行移動機構を構成している、
ことを特徴とする請求項１ないし７のいずれかに記載の横引き網戸。
【発明の詳細な説明】
【技術分野】
【０００１】
本発明は、交互に逆方向に折り返して伸縮可能としたネットを横引きにより開閉自在とした横引き網戸に関するものであり、更に具体的には、上記ネットの上下端またはその一方端をガイドするネットガイドに、該ネットに挿通した張紐を保持させるようにした横引き網戸の改良に関するものである。
【背景技術】
【０００２】
従来、交互に逆方向に折り返した伸縮可能なネットを横引きにより開閉自在とした網戸では、ネットの下端部がガイド枠に挿入されているが、強い風にあおられるとネットが湾曲したり、ガイド枠から抜脱したりするので、該ガイド枠にネットを保持して該ネットとともにその開閉方向に移動可能なネット支持部片を取り付けている（例えば、特許文献１参照）。これは、ネットの上端部についても同様である。
しかしながら、この種のネット支持部片は、一端をガイド枠に係合し、他端でネットを挟持し、あるいはネットに挿通した張紐に係止するもので、全体として板状を呈した自立性のないものであるから、ネットの開閉に応じて左右のどちらかに傾いたり、ガイド枠への係合部分を中心に鉛直軸周りに回転したりして、ネットの開閉時にそのネット支持部片がガイド枠に沿って円滑に移動せず、ネットの開閉を不円滑にする可能性があった。
【特許文献１】特開平８−１８９２７１号公報
【発明の開示】
【発明が解決しようとする課題】
【０００３】
本発明の技術的課題は、交互に逆方向に折り返して伸縮可能としたネットを横引きにより開閉自在とした横引き網戸において、上記ネットの上下端またはそのいずれかをガイドするネットガイドに、ネット支持部片を移動自在に係合させるとともに、該ネットの端部に挿通した張紐を該ネット支持部片に保持させるに際し、該ネット支持部片がネットの開閉に応じて左右のどちらかに傾いたり、ネットガイドへの係合部分を中心に鉛直軸周りに回転したりして、ネットの開閉時に該ネット支持部片が不円滑に移動するのを抑制できるようにした横引き網戸を提供することにある。
本発明の他の技術的課題は、上記ネット支持部片の円滑な移動を、従来のネット支持部片の構成の簡単な変更によって実現可能にすることにある。
【課題を解決するための手段】
【０００４】
上記課題解決するため、本発明は、平行な折り目により交互に逆方向に折り返して、該折り目での折畳みにより伸縮可能としたネットを横引きにより開閉自在とし、該ネットの開閉に際して該ネットの上下端またはその一方端をガイドするネットガイドに、該ネットのガイド端部に伸縮方向に挿通した張紐を保持するネット支持部片を、該ネットの開閉方向に移動自在に係合させた横引き網戸おいて、上記ネット支持部片が、上記ネットの折り目に沿って鉛直配置されるヒンジ部で回動自在に連結されて、該ネットの伸縮に伴い上記折り目の両側平面部に沿うように開閉する二枚の張紐係止片を備え、該ネット支持部片におけるそれぞれの該張紐係止片に、上記張紐を挿通する通孔を開設するとともに、該ネット支持部片にそれを上記ネットガイドに移動自在に係合する係合支持脚を設け、該ネット支持部片の姿勢を、それぞれの張紐係止片における通孔に挿通した張紐及び係合支持脚に係合させたガイドネットの少なくとも３点で拘束させたことを特徴とするものである。
【０００５】
本発明の横引き網戸の好ましい実施形態においては、上記二枚の張紐係止片における張紐を挿通する通孔が、それぞれ張紐係止片の外縁に達するスリットを有し、該スリットを通して上記張紐を上記通孔に係止させるものとして構成される。
これによりネット支持部片の着脱を網戸の組立てあるいは設置状態においても容易に行うことが可能になる。
【０００６】
本発明の横引き網戸における上記ネット支持部片のヒンジ部は、合成樹脂からなる二枚の張紐係止片における連結部が、ネットガイドに移動自在に係合する係合支持脚に対して該合成樹脂の薄肉部により回動自在に一体化することにより構成されたものとし、あるいは、二枚の張紐係止片における連結部にそれぞれ回転軸部を設け、ネットガイドに移動自在に係合する係合支持脚に、上記回転軸部を回転自在に支持する軸支部を設け、該軸支部に回転軸部を回転自在に支持させたものとし、更には、合成樹脂からなる二枚の張紐係止片における連結部を、該合成樹脂の薄肉部により回動自在に一体化することにより構成され、ネットガイドに移動自在に係合する係合支持脚が各張紐係止片におけるヒンジ部とは反対側の対向辺側に設けられたものとすることができる。
ネット支持部片がこれらの構造に限られるものでないことは勿論である。
【０００７】
本発明の横引き網戸の他の好ましい実施形態において、ネットガイドは、ネットの開閉に応じて該ネットの開閉方向両端に取付けられた枠材の少なくとも一方からその内部に屈曲して出入りし、張設状態にある上記ネットの端部に沿って導出されてその端部をガイドする構成を備え、該ネットガイドは、上記ネットの端部に沿う底部と該ネットの両外側面に沿う立壁部とにより略Ｕ字状に形成したガイド駒を多数連設することにより構成され、該ネットガイドを構成するガイド駒の各立壁部に、ネット支持部片の係合支持脚を係合させて移動可能にする一連のレール部を設けたものとして構成される。
【０００８】
上記横引き網戸においては、ネットガイドにおけるレール部が、該ネットガイドにおける少なくとも一方の立壁部の外面及び内面のそれぞれに、隣接ガイド駒間において相互に連接される一連の凹溝により形成され、上記ネット支持部片のネットガイドに対する係合を、張紐係止片と係合支持脚に設けた係合鈎を上記両凹溝にそれぞれ係合させることによって行うことが望まれる。
また、上記張紐は、上記ネットの開閉操作に供する可動の枠材を平行移動させるための平行移動機構を構成しているものを利用するのが望ましい。
【０００９】
上記構成を有する横引き網戸においては、平行な折り目により交互に逆方向に折り返して伸縮可能としたネットの横引きによる開閉に際して、ネットガイドに移動自在に係合させ、且つネットの端部に挿通した張紐を保持するネット支持部片を、上記ネットの折り目に沿って鉛直配置されるヒンジ部で回動自在に連結された二枚の張紐係止片及びネットガイドに係合する係合支持脚によって構成し、ネットの張設時には該張紐係止片が該ネットの折り目の両側平面部に沿って開くようにしているので、その状態では、該ネット支持部片が少なくとも３点でその姿勢を拘束され、即ち、該ネット支持部片の係合支持脚がネットガイドに拘束されるとともに、それぞれの張紐係止片がその通孔に挿通した張紐によって拘束され、その結果、ネット支持部片がネットの開閉に応じて左右に傾いたり、ネットガイドへの係合支持脚を中心に鉛直軸周りに回転したりするのが抑制され、ネットガイドに沿って円滑に移動させることができる。
【発明の効果】
【００１０】
上記構成を有する本発明の横引き網戸によれば、交互に逆方向に折り返して伸縮可能としたネットを横引きにより開閉自在とした横引き網戸において、上記ネットの端部をガイドするネットガイドに、ネット支持部片を移動自在に係合させるとともに、該ネットの端部に挿通した張紐を該ネット支持部片に保持させるに際し、該ネット支持部片がネットの開閉に応じて左右のどちらかに傾いたり、ネットガイドへの係合部分を中心に鉛直軸周りに回転したりして、ネットの開閉時に該ネット支持部片が不円滑に移動するのを抑制することができ、しかも、上記ネット支持部片の円滑な移動を、該ネット支持部片の構成の簡単な変更によって実現することができる。
【発明を実施するための最良の形態】
【００１１】
以下に、本発明をバリアフリー化した横引き網戸に適用した実施例を図面に基づいて詳細に説明する。
図１は本発明の第１実施例に係る横引き網戸の全体構成を示し、図２ないし図６は、その第１実施例の横引き網戸におけるネット支持部片及びそれとネットガイドとの関連的構成を示している。
【００１２】
この横引き網戸は、図１に示すように、建物開口部に取り付けられる網戸枠１を備えている。この網戸枠１は、左右に設けられた縦枠材２，３と上部に設けられた横枠材４とを有するものであり、下部には後述するネットガイドを案内する程度のガイド用薄板５（図２参照）を設けるだけで、固定的な枠材は実質的に備えず、それによりバリヤフリー化を図っている。
上記網戸枠１内には、縦枠材２に一端が固定されて横引きにより開閉自在とした防虫用のネット１０と、該ネット１０の他端に取り付けられた開閉操作用の可動枠材１１と、該ネット１０の開閉に応じて縦枠材２からネット１０の下端に沿って導出されてその下端部をガイドするネットガイド１２とを備えている。
【００１３】
上記ネットガイド１２は、張設状態にある上記ネット１０の下端が風等の外力により揺れたりするのを抑止するとともに、ネット１０の開閉時における該ネット下端部をガイドするもので、概略的には、図１及び図２に示すように、合成樹脂で形成した多数のガイド駒１５を、可撓性を有するワイヤー部材１７で屈曲可能に連設して構成され、その一端に位置するガイド駒１５を可動の枠材１１の下端に固定するとともに、その他端が縦枠材２の下端から該縦枠材２内に出没自在に屈曲挿入され、それによって、ネット１０の開閉時に可動の枠材１１の移動に伴なって縦枠材２から出没し、該ネット１０の下端部の移動をガイドするものである。
【００１４】
更に具体的に説明すると、上記ネットガイド１２を構成するガイド駒１５は、図２に示すように、ネット１０の下端部に沿う底部１５ａと該ネット１０の両外側面に沿って立ち上がる一対の立壁部１５ｂとにより略Ｕ字状に形成した合成樹脂製のもので、該ガイド駒１５における立壁部１５ｂの先端部（上端開口側端部）に沿って、ワイヤー部材１７を挿通するための通孔１５ｃを設け、それぞれのガイド駒１５の通孔１５ｃに上記ワイヤー部材１７を挿通することにより、各ガイド駒１５における立壁部１５ｂの先端部を屈曲可能に連結している。また、ネットガイド１２の両端のガイド駒１５の外側端において、ワイヤー部材１７の端部にそれぞれストッパー部材１７ａ（図１参照）を付設することにより、各ガイド駒１５からのワイヤー部材１７の抜脱を抑止している。そして、これらのガイド駒１５は、該ガイド駒１５における底部１５ａ及び立壁部１５ｂの端部連接面１５ｄを相互に当接させることにより連接している。
【００１５】
また、後述するネット支持部片２０の係合支持脚２３をネットガイドに移動自在に係合させるため、ネットガイド１２を構成する各ガイド駒１５の立壁部１５ｂには、該ネット支持部片２０の係合支持脚２３を移動可能に係合させる一連のレール部１５ｅを設けている。このレール部１５ｅは、具体的には、ガイド駒１５の立壁部１５ｂの下部外面に開く外側凹溝１５ｆと該立壁部１５ｂの上部内面に開く内側凹溝１５ｇとによって構成されるものである。なお、上記レール部１５ｅは、ネットガイド１２における少なくとも一方の立壁部１５ｂに設ければよい。
上記ガイド駒１５の下面両側には、内向きの鈎状部１５ｈを設けているが、これは、床面上に設置されるガイド用薄板５の両側の凹部５ａに係合して、ネットガイド１２の移動をガイドすると同時に、該ネットガイド１２の床面からの浮き上がりを防止するためのものである。
【００１６】
なお、図１に示す第１実施例では、上記ネットガイド１２の一端を可動の枠材１１の下端に固定し、その他端を縦枠材２の下端から該縦枠材２内に出没自在に屈曲挿入しているが、該ネットガイド１２は、縦枠材２の下端に一端を固定し、他端を可動の枠材１１の下端からその内部に挿入できるようにすることもできる。すなわち、該ネットガイド１２はネット１０の開閉方向両端に取付けた枠材２，１１の一方に固定し、他方の内部に屈曲して出入りするように構成することができる。
【００１７】
一方、上記ネット１０は、平行な多数の折り目１０ａにより交互に逆方向に折り返して、該折り目１０ａでの折畳みによりアコーディオン式に伸縮可能としたものであり、その一端に取り付けた可動の枠材１１を左右に移動させることにより、このネット１０を開閉できるようにしている。
【００１８】
上記可動の枠材１１を安定的に平行移動させてネット１０を開閉するための平行移動機構として、図１に示すように、網戸枠１、可動の枠材１１及びネットガイド１２の端部等の間に３本の張紐２５ａ〜２５ｃを張設している。
上記張紐２５ａは、上記可動の枠材１１の上端部にその一端を取り付け、ネット１０を貫通させて縦枠材２内に導き、転向子２６ａにより縦枠材２内を下方に導いたうえで、該縦枠材２の下部に設けた転向子２６ｂに巻き掛けて該縦枠材２内を上方に導き、その先端を上記ネットガイド１２における縦枠材２内に導出入された先端部に連結している。
また、張紐２５ｂ，２５ｃは、それぞれ上記可動の枠材１１の中央及び下端部に一端を取り付け、ネット１０を貫通させて上記縦枠材２内に導いたうえで、それぞれ転向子２６ｃ，２６ｄにより上向きに転向させて、該縦枠材２内を上部の横枠材４内に導き、それらの張紐２５ｂ，２５ｃを転向子２６ｅにより該横枠材４内を縦枠材３の上端部に導き、そこで転向子２６ｆにより折り返したうえで上記可動の枠材１１の上部に連結している。
【００１９】
張紐２５ａ〜２５ｃが展張状態のネット１０内に水平方向に張設されている部分においては、それらの張紐２５ａ〜２５ｃによってネット１０の弛みを防止し、ネット１０の張設状態を安定化させることができる。特に、ネット１０の上下端部に挿通する張紐２５ａ，２５ｃは、ネット１０に風等の比較的強い外力が作用しても、該ネット１０が横枠材４やネットガイド１２から抜脱するのを可及的に抑制するために機能するものである。
なお、上記各転向子２６ａ〜２６ｆとしては、張紐２５ａ〜２５ｃとの抵抗が小さい合成樹脂製の摺動部材、あるいはプーリーなどを用いることができる。
【００２０】
次に、図２〜４を参照して上記第１実施例におけるネット支持部片２０について説明する。
上記ネット支持部片２０は、基本的には、ネット１０の折り目１０ａに沿って鉛直配置されるヒンジ部２１で回動自在に連結された二枚の張紐係止片２２と、それらの張紐係止片２２をネットガイド１２における前記一連のレール部１５ｅに移動自在に係合させるための係合支持脚２３とを備えていればよいものであるが、この第１実施例では、上記二枚の張紐係止片２２及びネットガイド１２に係合させる係合支持脚２３を、上記ヒンジ部２１とともに合成樹脂によって形成し、該ヒンジ部２１を構成する二枚の張紐係止片２２と係合支持脚２３との連結部を、該合成樹脂の薄肉部により回動自在に一体化している。
【００２１】
上記ヒンジ部２１で連結された上記二枚の張紐係止片２２は、ネット１０の伸縮に伴って、該ネットの折り目１０ａの両側平面部に沿うように開閉可能にしたもので、それぞれの張紐係止片２２に、上記張紐２５ｃを挿通する通孔２２ａを開設するとともに、該通孔２２ａから張紐係止片２２の外縁に達するスリット２２ｂを設け、該スリット２２ｂを通して上記張紐２５ｃを上記通孔２２ａに係止させるようにしている。これにより、ネット支持部片２０の着脱、すなわち、ネットガイド１２の一連のレール部１５ｅに対する該ネット支持部片２０の係合支持脚２３の係合（後述）、及び上記通孔２２ａへの張紐２５ｃの挿通を、網戸の組立てあるいは設置状態においても容易に行うことが可能になる。
【００２２】
前述したように、ネットガイド１２におけるレール部１５ｅは、該ネットガイド１２における立壁部の外面及び内面のそれぞれに設けた一連の凹溝１５ｆ，１５ｇによって形成されているが、これらの凹溝１５ｆ，１５ｇに上記ネット支持部片２０を係合させるため、上記張紐係止片２２の一部に上記凹溝１５ｇに対向する係合鈎２２ｃを設けるとともに、上記係合支持脚２３に上記凹溝１５ｆに対向する係合鈎２３ａを設け、上記両凹溝１５ｆ，１５ｇにそれぞれの係合鈎２３ａ，２２ｃを係合させることによって、ネット支持部片２０を上記レール部１５ｅに対して移動自在に係合させている。
【００２３】
上記構成を有する横引き網戸においては、平行な折り目１０ａにより交互に逆方向に折り返して伸縮可能としたネット１０の横引きによる開閉に際して、ネットガイド１２に移動自在に係合させ、且つネット１０の下部に挿通した張紐２５ｃを保持するネット支持部片２０を、図２及び図５に示すように、上記ネット１０の折り目１０ａに沿って鉛直配置されるヒンジ部２１で回動自在に連結された二枚の張紐係止片２２及びネットガイド１２に係合する係合支持脚２３によって構成し、ネット１０の張設時には該張紐係止片２２が該ネット１０の折り目１０ａの両側平面部に沿って開くようにしているので、その状態では、該ネット支持部片２０が少なくとも３点でその姿勢を拘束され、即ち、該ネット支持部片２０の係合支持脚がネットガイド１２に拘束されるとともに、それぞれの張紐係止片２２がその通孔２２ａに挿通した張紐２５ｃによって拘束され、その結果、ネット支持部片２０がネット１０の開閉に応じて左右に傾いたり、ネットガイド１２への係合支持脚２３を中心に鉛直軸周りに回転したりするのが抑制され、ネットガイド１２に沿って円滑に移動させることができる。
【００２４】
なお、図６に示すように、ネット１０の折畳み時には、ネット支持部片２０における上記二枚の張紐係止片２２がネット１０とともに折り畳まれるが、この状態ではネット支持部片２０が姿勢を変えたり移動したりする余地がなく、また、二枚の張紐係止片２２が図示のようにネット１０を挟むような状態で該ネット１０とともに折り畳まれるので、該ネット支持部片２０の存在に起因して折り畳み時におけるネット１０の収納に支障を来すようなことはない。
【００２５】
上述した第１実施例の横引き網戸では、張紐係止片２２の通孔２２ａに挿通する張紐として、可動の枠材１１の平行移動機構を構成する張紐２５ｃを利用しているが、それに限定されるものではなく、例えば上記可動の枠材１１にネット１０を折り畳む方向のばね等の付勢力を付与するための張紐を利用することもできる。
【００２６】
また、上記実施例では、網戸枠１として、下部に固定的な枠材を備えず、枠材内に導出入するネットガイド１２を設けてバリヤフリー化を図った場合について説明したが、固定的な下部枠材を設けても差し支えないことは勿論である。更には、固定的または移動可能なネットガイドを網戸枠１の上下に設け、それらと上下端部の張紐との間にネット支持部片２０を係合させることもできる。更にまた、上記固定的な下部枠材を設ける場合、及び前記屈曲自在のネットガイド１２を用いる場合を含めて、ネット支持部片２０をそれらに移動自在に係合させるときに、張紐係止片２２の一部に係合鈎２２ｃ等を設けたりすることなく、係合支持脚２３のみにそれらに対する係合手段を設けることができる。これらは、以下に説明する多の実施例の場合においても同様である。
【００２７】
次に、図７ないし図１０を参照して本発明に係る横引き網戸の第２実施例のネット支持部片３０について説明する。
この第２実施例のネット支持部片３０は、上記第１実施例と同様に、ネット１０の折り目１０ａに沿って鉛直配置されるヒンジ部３１で回動自在に連結されて、該ネット１０の伸縮に伴い上記折り目１０ａの両側平面部に沿うように開閉する二枚の張紐係止片３２を備え、該ネット支持部片３０におけるそれぞれの該張紐係止片３２に、上記張紐２５ｃを挿通する通孔３２ａを開設するとともに、該ネット支持部片３０にそれを上記ネットガイド１２に移動自在に係合する係合支持脚３３を設けているが、前記第１実施例のネット支持部片２０と比べると、ヒンジ部３１の構成が異なっている。
【００２８】
具体的に、この第２実施例のネット支持部片３０におけるヒンジ部３１は、二枚の張紐係止片３２における連結部にそれぞれ回転軸部３２ｄを設け、ネットガイド１２に移動自在に係合する係合支持脚３３に、上記回転軸部３２ｄを回転自在に支持する一部開放の一対の軸支部３３ｂを設け、該軸支部３２ｂに回転軸部３２ｄを押入して回転自在に支持させることにより構成している。
【００２９】
なお、図中、３２ｂは張紐２５ｃを通孔３２ａに通すためのスリット、３２ｃ，３３ａはそれぞれ係合鈎を示している。
この第２実施例のネット支持部片３０における係合支持脚３３をネットガイド１２に係合させるための構成、及びこの第２実施例のネット支持部片３０の作用は、前記第１実施例の場合と実質的に変わるところがないので、それらの説明は省略する。
【００３０】
次に、図１１ないし図１３を参照して本発明の第３実施例のネット支持部片４０について説明する。
この第３実施例のネット支持部片４０は、ネット１０の折り目１０ａに沿って鉛直配置されるヒンジ部４１で回動自在に連結されて、該ネット１０の伸縮に伴い上記折り目１０ａの両側平面部に沿うように開閉する二枚の張紐係止片４２を備え、それぞれの該張紐係止片４２に、上記張紐２５ｃを挿通する通孔４２ａを開設しているが、前記各実施例のようにヒンジ部側に係合支持脚を設けることなく、上記ヒンジ部４１において、合成樹脂からなる二枚の張紐係止片４２における連結部を、該合成樹脂の薄肉部４１ａにより回動自在に一体化し、ネットガイド１２に移動自在に係合する係合支持脚４３を、それぞれの張紐係止片４２におけるヒンジ部４１とは反対側の対向辺側に一体に設けている。
【００３１】
また、上記張紐係止片４２の通孔４２ａに張紐２５ｃを通すためのスリット４２ｂは、上記薄肉部４２ａを上下に分離してその間に設けている。
更に、上記ネット支持部片４０を前述したネットガイド１２におけるレール部１５ｅに係合させるため、該ネットガイド１２における外面に設けた一連の凹溝１５ｆに係合する係合鈎４３ａを、それぞれの係合支持脚４３における上記凹溝１５ｆに対向する部位に設けるとともに、ネットガイド１２の内面に設けた凹溝１５ｇに係合する係合鈎４２ｃを、それぞれの張紐係止片４２における上記凹溝１５ｇに対向する部位に設け、それらによって、ネット支持部片４０を上記レール部１５ｅに対して移動自在に係合させるようにしている。
【００３２】
この第３実施例のネット支持部片４０は、図１１及び図１３から明らかなように、その係合支持脚４３の係合鈎４３ａ及び張紐係止片４２の係合鈎４２ｃをネットガイド１２のレール部１５ｅに係合させた状態においては、折り目１０ａで折曲されたネット１０の谷折り部分の内面側に位置し、ネット１０の折り目１０ａに沿って鉛直配置されるヒンジ部４１で回動自在の張紐係止片４２が、上記折り目１０ａの両側平面部の内面に沿って配置される。したがって、ネット１０の折畳み時においては、二枚の張紐係止片４２がネット１０の折り目１０ａの両側平面部間に挟まれるようになる。
【００３３】
一方、前記第１及び第２実施例のネット支持部片２０，３０では、それらの係合支持脚をネットガイド１２のレール部１５ｅに係合させたとき、該係合支持脚がネット１０の山折り部の外側に位置し、ヒンジ部２１，３１で回動自在の張紐係止片２２，３２が、上記折り目１０ａの両側平面部の外面に沿って配置され、したがって、ネット１０の折畳み時においては、折り目１０ａにおいて折曲されたネットを二枚の張紐係止片によって挟むことになる。
【００３４】
また、この第３実施例のネット支持部片４０は、ネット１０の横引きによる開閉に際して、ネットガイド１２に係合支持脚４３等を移動自在に係合させ、且つネット１０の下部に挿通した張紐２５ｃを二枚の張紐係止片４２における通孔４２ａに挿通した状態では、該ネット支持部片４０が４点でその姿勢を拘束され、即ち、該ネット支持部片４０の各張紐係止片４２に設けた一対の係合支持脚４３がそれぞれネットガイド１２に拘束されるとともに、それぞれの張紐係止片４２がその通孔４２ａに挿通した張紐２５ｃによって拘束され、その結果、ネット支持部片４０がネット１０の開閉に応じて左右に傾いたりするのが抑制され、ネットガイド１２に沿って円滑に移動させることができる。
【図面の簡単な説明】
【００３５】
【図１】本発明に係る横引き網戸の実施例の全体的構成を示す正面視の構成図である。
【図２】第１実施例におけるネットの下端がネットガイドに保持されている部位の部分拡大斜視図である。
【図３】上記第１実施例におけるネット支持部片の背面図である。
【図４】上記第１実施例におけるネット支持部片の平面図である。
【図５】上記第１実施例におけるネット支持部片のネット張設時の状態を示す平面図である。
【図６】ネット折畳み時の図５と同様の平面図である。
【図７】第２実施例におけるネット支持部片の正面図である。
【図８】同右側面図である。
【図９】同平面図である。
【図１０】図７のＡ‐Ａ線での断面図である。
【図１１】第３実施例におけるネットの下端がネットガイドに保持されている部位の部分拡大斜視図である。
【図１２】上記第３実施例におけるネット支持部片の展開正面図である。
【図１３】第３実施例におけるネット支持部片のネット張設時の状態を示す平面図である。
【符号の説明】
【００３６】
２，３              縦枠材
１０                ネット
１０ａ              折り目
１１                可動の枠材
１２                ネットガイド
１５                ガイド駒
１５ａ              底部
１５ｂ              立壁部
１５ｅ              レール部
２０，３０，４０    ネット支持部片
２１，３１，４１    ヒンジ部
２２，３２，４２    張紐係止片
２２ａ，３２ａ，４２ａ    通孔
２２ｂ，３２ｂ，４２ｂ    スリット
２２ｃ，３２ｃ，４２ｃ    係合鈎
２３，３３，４３    係合支持脚
２３ａ，３３ａ，４３ａ    係合鈎
２５ａ〜２５ｃ      張紐
４１ａ              薄肉部
【図１】
2005264524.tif 000003
【図２】
2005264524.tif 000004
【図３】
2005264524.tif 000005
【図４】
2005264524.tif 000006
【図５】
2005264524.tif 000007
【図６】
2005264524.tif 000008
【図７】
2005264524.tif 000009
【図８】
2005264524.tif 000010
【図９】
2005264524.tif 000011
【図１０】
2005264524.tif 000012
【図１１】
2005264524.tif 000013
【図１２】
2005264524.tif 000014
【図１３】
2005264524.tif 000015